【事件の表示】
　上記当事者間の特許第３５８４０３０号発明「魚類の養殖装置およびその方法」の特許無効審判事件について、次のとおり審決する。
【結　論】
　本件審判の請求は、成り立たない。
　審判費用は、請求人の負担とする。
【理　由】
第１　手続の経緯
　本件の手続の経緯は以下のとおりである。
　
平成１４年　９月１２日　本件出願（特願２００２−２６６１９６）
平成１６年　８月　６日　設定登録（特許第３５８４０３０号）
平成２５年　７月　３日　本件無効審判請求（無効２０１３−８００１１６）
　　　　　　８月２１日　被請求人より審判事件答弁書
　　　　　　８月２７日　補助参加申出書
　　　　　　９月２７日（３０日差し出し）　参加申請書・補正書
　　　　　１１月　７日　請求人より意見書
平成２６年　１月　６日　参加許否の決定（参加の申請を許可する。）
　　　　　　１月２８日　参加人より上申書
　　　　　　２月１９日　請求人、被請求人に対して審尋
　　　　　　３月　４日　請求人より回答書
　　　　　　３月　６日（７日差し出し）　被請求人より回答書
　　　　　　４月　２日　参加人より証人尋問申立書・尋問事項書（証人：朝比奈・萩原・山本）
　　　　　　４月　９日　請求人より回答書
　　　　　　５月　１日（２日差し出し）　参加人より上申書
　　　　　　５月２１日　併合審理通知書（無効２０１３−８００１１６、無効２０１３−８００１１７を併合）
　　　　　　５月３０日　参加人より上申書
　　　　　　７月　３日　参加人より上申書、口頭審理陳述要領書
　　　　　　７月　９日　審理事項通知書
　　　　　　７月２５日　請求人より口頭審理陳述要領書
　　　　　　８月　１日　請求人より口頭審理陳述要領書（補充）
　　　　　　８月　２日　被請求人より口頭審理陳述要領書
　　　　　　８月　８日　証拠調べ、口頭審理
　　　　　　８月２１日　参加人より上申書
　　　　　　８月２８日　請求人より上申書
　　　　　　９月１２日　請求人より上申書
　　　　　　９月１２日　参加人より上申書
　　　　　１１月２１日　無効２０１３−８００１１６、無効２０１３−８００１１７を分離
　
　
第２　当事者の主張
１．請求人の主張の概要
　請求人は、特許第３５８４０３０号の請求項１〜３に係る発明についての特許を無効とする、審判費用は被請求人の負担とする、との審決を求め、甲第１〜６号証を提出して、次の無効理由を主張した。
　
［無効理由の概要］
無効理由（特許法第３８条）
　本件特許に係る各請求項に記載の発明（以下、本件特許発明という。）は、請求人を含む３名が共同して完成したものであるが、請求人は特許を受ける権利を譲渡していないにもかかわらず、請求人を除く２名によって出願され特許が付与されたものであるから、当該出願は特許法第３８条に違反したものであって、その特許は同法第１２３条第１項２号に該当し、無効とすべきである。
　
［証拠方法］
　甲第１号証：特許願（２００２−２６６１９６）の写し
　甲第２号証：登録原簿（特許第３５８４０３０）の写し
　甲第３号証の１：特許第４１４２６８４号の特許時の書誌事項を示すＩＰＤＬ検索の写し
　甲第３号証の２：特許第４１４２６８４号の公開時の書誌事項を示すＩＰＤＬ検索の写し
　甲第４号証：証人呼出状及び尋問事項写し
　甲第５号証：特定非営利活動法人鮪文化研究会の履歴事項全部証明書の写し
　甲第６号証：特開２００４−２４２６２０号公報（特願２００３−３８１０２号の公開公報）の写し
　
２．被請求人の主張の概要
　これに対して、被請求人は、本件請求を棄却する、審判費用は請求人の負担とする、との審決を求め、請求人の無効理由に対して以下のように反論した。
　
［無効理由に対する反論］
　被請求人代表者を含む当時の出願人は、共同発明者が全員で特許出願をしなければならないということを知らず、発明者の欄に氏名を記載すればよいものと誤解していたに過ぎません。
　従って、単なる誤解に基づく手続上のミスによるものですから、何卒ご容赦の上、無効の判断がなされないようお願い致します。（審判事件答弁書６（３）（４））
　
３．参加人の主張の概要
　これに対して、参加人は、本件請求を棄却する、との審決を求め、丙第１〜６１号証を提出して、請求人の無効理由に対して以下のように反論した。
　
［無効理由に対する反論］
　請求人は、発明者ではない。請求人は特許出願に際し、被請求人宛に権利放棄書を提出している。特許を受ける権利の譲渡・放棄について請求人は当初から黙示の承認をしていた。（第１回口頭審理及び証拠調べ調書）
　
［証拠方法］
　丙第１号証：平成２４年１０月１９日付　訴状の写し
　丙第２号証：平成２４年１２月２１日付　第１準備書面の写し
　丙第３号証：平成２５年２月７日付　第２準備書面の写し
　丙第４号証：平成２５年７月８日付　第３準備書面の写し
　丙第５号証：平成２５年２月２０日付　証拠説明書の写し
　丙第６号証：平成２５年７月８日付　証拠説明書の写し
　丙第７号証：平成１９年６月２５日付　特許権譲渡契約書の写し
　丙第８号証：平成２４年６月１３日付　催告書の写し
　丙第９号証：平成２４年６月１４日付　配達証明書の写し
　丙第１０号証：平成１９年２月１４日付　取締役会承認書の写し
　丙第１１号証：平成２０年４月９日付　日経産業新聞の写し
　丙第１２号証：平成２０年４月８日付　日本経済新聞の写し
　丙第１３号証：平成２２年１２月付　　事業計画書の写し
　丙第１４号証：平成２０年１月１１日付　鑑定報告書の写し
　丙第１５号証：質問項目の写し
　丙第１６号証：平成２５年１月２９日付　報告書の写し
　丙第１７号証：平成１９年２月１９日付　読売新聞の写し
　丙第１８号証：平成２４年１１月２６日付　答弁書の写し
　丙第１９号証：平成２５年１月１５日付　準備書面１の写し
　丙第２０号証：平成２５年４月１５日付　準備書面２の写し
　丙第２１号証：平成２５年７月４日付　準備書面３の写し
　丙第２２号証：平成２５年９月１１日付　準備書面４の写し
　丙第２３号証：平成２４年１２月６日付　証拠説明書の写し
　丙第２４号証：平成２５年４月１８日付　証拠説明書２の写し
　丙第２５号証：平成２５年５月２９日付　証拠説明書３の写し
　丙第２６号証：平成２５年９月１１日付　証拠説明書４の写し
　丙第２７号証：平成１９年２月１４日付　第４２回取締役会議議事録の写し
　丙第２８号証：平成１９年６月８日付　第４８回取締役会議議事録の写し
　丙第２９号証：平成２４年１１月８日付　現在事項全部証明書の写し
　丙第３０号証：平成１７年〜平成２０年　給与所得の源泉徴収票（山本明人）の写し
　丙第３１号証：平成１８年７月２４日付　第２３回取締役会議議事録の写し
　丙第３２号証：平成２５年５月１８日付　回答書の写し
　丙第３３号証：平成１９年５月１８日付　特許第３９５７７２１号特許証の写し
　丙第３４号証：平成１９年８月１５日付　特許公報の写し
　丙第３５号証：平成１６年８月６日付　特許証の写し
　丙第３６号証：特許願（特願２００２−２６６１９６）の写し
　丙第３７号証：ＷＨＡ株式会社第８期決算書の写し
　丙第３８号証：平成２５年７月３日付　審判請求書の写し
　丙第３９号証：平成２５年８月５日付　請求書副本の送達通知（答弁指令）の写し
　丙第４０号証：平成２５年７月３日付　審判請求書の写し
　丙第４１号証：平成２５年８月５日付　答弁指令の写し
　丙第４２号証：株式会社ドリームウィルホームベージの写し
　丙第４３号証：ＮＰＯ法人鮪文化研究会における朝比奈万太郎の名刺の写し
　丙第４４号証：ＷＨＡ株式会社履歴事項全部証明書の写し
　丙第４５号証：特定非営利活動法人鮪文化研究会閉鎖事項全部証明書の写し
　丙第４６号証：平成２４年（ワ）第９９９号譲渡代金請求事件の朝比奈万太郎の証人調書の写し
　丙第４７号証：平成２４年（ワ）第９９９号譲渡代金請求事件の萩原弘之の本人調書の写し
　丙第４８号証：平成２４年（ワ）第９９９号譲渡代金請求事件の山本明人の本人調書の写し
　丙第４９号証：マグロ養殖関係営業報告書の写し
　丙第５０号証：ＭＧＹ．Ｎｅｗｓの写し
　丙第５１号証：特許番号３５８４０３０号基本情報の写し
　丙第５２号証：特許番号３５８４０３０号出願情報の写し
　丙第５３号証：特許番号３５８４０３０号審判情報の写し
　丙第５４号証：特許番号３９５７７２１号基本情報の写し
　丙第５５号証：特許番号３９５７７２１号出願情報の写し
　丙第５６号証：特許番号３９５７７２１号審判情報の写し
　丙第５７号証：平成２４年（ワ）第９９９号譲渡代金請求事件の陳述書の写し
　丙第５８号証：ＷＨＡ有限会社平成１７年７月１６日第２回社員総会議事録及び写真の写し
　丙第５９号証：ＷＨＡ株式会社特許使用許諾契約書の写し
　丙第６０号証：平成２１年１月２４日付譲渡証書（特許番号第４１４２６８４号）の写し
　丙第６１号証：平成２４年（ワ）第９９９号譲渡代金請求事件の判決書の写し
　
第３　本件に係る発明
　本件特許の請求項１〜３に係る発明は特許請求の範囲の請求項１〜３に記載された事項により特定される以下のとおりのものと認める。（以下、「請求項１〜３に係る発明」を「発明１〜３」といい、発明１〜３を総称して「本件特許発明」という。）。
「【請求項１】
内部に魚類を収容する水槽と、水槽より上部に設けられるタンクと、該水槽の一側部へ接続させた前記魚類が生息し得る水を前記タンクから導入する供給手段と、前記水槽の他側部に接続させて該水槽内の水を排出する排水手段と、前記水槽の適所に設けた魚の投入部および魚の取出部とを有する魚類の養殖装置にあって、前記水槽は、その内部を前記一側部から前記他側部にわたって一連となる空洞の筒状に形成して、前記一側部から前記他側部に至るまでを螺旋状となるように設けてあり、前記内部を前記供給手段と前記排水手段とによって前記水を定められた流速となるように充満させたことを特徴とする魚類の養殖装置。
【請求項２】
水槽の適所に該水槽内の環境を検出する検出手段を一個または複数個配設させたことを特徴とする請求項１記載の魚類の養殖装置。
【請求項３】
螺旋状に設けた水槽内へ前記水槽より上部に設けられるタンクから前記水槽の一側部に水を定められた流速となるように供給しつつ、前記水槽の他側部より排水した該水槽内に一連の水流路を形成させた状態において、前記水槽の一側部から魚を投入し、前記一連の水流路内を前記魚の遊泳速度に合わせて前記水槽内の水の流速を調整させ、該水槽内においてこの水槽に対する前記魚の遊泳移動量を抑えさせた状態で該魚を養殖させることを特徴とする魚類の養殖方法。」
　
第４　無効理由についての判断
　特許法第３８条は「特許を受ける権利が共有に係るときは、各共有者は、他の共有者と共同でなければ、特許出願をすることができない。」と規定しているところ、まず、要件事実の特許を受ける権利が請求人を含む３名の共有に係るものであるかについて［第４−１　本件特許発明が請求人を含む３名が共同して完成したものであるかについて］で検討し、次に、抗弁事実として主張された、請求人は特許を受ける権利を、譲渡・放棄したかについて、［第４−２　権利放棄書について］、［第４−３　黙示の意思表示による譲渡・放棄について］の観点から、それぞれ検討する。
　
第４−１　本件特許発明が請求人を含む３名が共同して完成したものであるかについて
　
　請求人は「本件特許発明は、請求人を含む３名が共同して完成したものである」旨主張するのに対して、参加人は「請求人は、発明者ではない。」旨主張しているので、本件特許発明が請求人を含む３名が共同して完成したものであるかについて検討する。
　
　まず、本件特許の願書（甲１）、特許第３５８４０３０号公報、及び本件特許証（丙３５）には発明者が山本明人、萩原弘之、朝比奈万太郎であると記載されており、外形的には、本件特許発明は、山本明人、萩原弘之、朝比奈万太郎の３名が共同して完成したものとなされている。
　それに対して、参加人は「鮪陸上養殖についてはその具体的方法は全て参加人が発案したものです。」、「営業活動の便宜から請求人を発明者として記載し、出願をした」（本人尋問「山本明人」証言等）と抗弁したが、下記「２．」に記載するように参加人の提出した証拠に基づいて抗弁内容が事実であるとの心証を形成することはできなかったので、参加人の抗弁は採用出来ない。
　そして、本件特許の出願書類には、本件特許出願以来一貫して、「発明者　山本明人、萩原弘之、朝比奈万太郎」と記載され、長期にわたって維持されているものであり、それを否定するに足りる事実も立証されていない以上、本件特許発明は、山本明人、萩原弘之、朝比奈万太郎の共有に係るものであるとするのが適当である。
１．当事者の主張
　各当事者の発明者に関しての主な主張を摘記すると以下のようなものである。
１−１．請求人の主張
　ア．「請求人は、願書に記載されたとおり、本件特許発明の共同発明者である（甲第１号証）。」（審判請求書２〜３頁７（４））
　イ．「本発明の内容に関しては、鮪はストレスを受けやすい回遊魚であり、流速が安定しないと養殖が難しいこと、人工養殖にはストレスを与えないように工夫しなければならないこと、などの問題点は、請求人が提起したものである。また、空洞部を螺旋状として遊泳できる距離を得ながら高さを制限することも請求人の発案である。
　このように、問題点の提起および具体的な構成を立案しており、本件発明の完成に大きく寄与しており、発明者の一人であることは明らかである。」（平成２６年３月４日付請求人回答書３頁７（１）（ロ））
　ウ．「第１に、出願前は第三者に開示することが出来ず、発明に関与した者以外に事情を知るものはいない。すなわち、請求人が発明者であることを立証出来るのは、請求人、被請求人代表者および参加人の三名のみである。
　第２に、請求人は、発明ノートを記載していたが、既に廃棄したものと思われ、書証として提出出来るものを発見出来なかった。」（平成２６年４月９日付請求人回答書２頁７（１）（ロ））
　エ．「基本的には、本件特許発明は、当初の概括的なアイデアを参加人が考え、これを具体的な構成となるように修正したものである。しかし、参加人が提示した当初のアイデアは、あまりにも大雑把なものであったので、問題点を提起しながら、細かな点を追加・修正することにより本件特許発明が完成したものである。
　さらに詳細に説明すれば、次のとおりである。すなわち、当初の参加人のアイデアは、陸上で鮪を養殖するための装置に関するものであり、海水を高い位置からウォータースライダーのように流下させれば、回流を発生させる必要がなく、鮪（回遊魚）を反対向きに泳がせば、同じ位置に留まった状態で養殖させることができるというものであった。
　そこで、養殖施設は陸上に構築されることから、コンパクトな設計でありながら、海水の流下領域を確保する必要があり、流路を螺旋状にすることが検討された。流路を螺旋状にするアイデアは、請求人が発案したと記憶しているが、請求人と参加人とが協議している中で両者によって発案されたかもしれない。
　また、流路が開口状態である場合には、海水の流下速度を調整することができないため、流路を筒状とし、海水供給側からの供給量と、排出側における排出量を調整することにより、流下速度を調整することとなった。
　ところで、周知のとおり、鮪は回遊魚であるから、泳ぎ続けることができる状態でなければ養殖はできないが、鮭等の遡河時のように、河川を遡上する習性とは異なり、海水を流下させたとしても、流下に逆らって泳ぎ続けるとは限らない。そこで、養殖対象魚が逆向きに泳いだ場合のことを想定すれば、養殖対象魚は、螺旋状流路の末端に集中することとなり、不測の事態を生じさせかねない。また、流路は、透明の強化プラスチック製として、外部から内部を目視できるように設計することとしたが、そのような構造物の構築は困難と思われた。
　そこで、請求人は、螺旋状の流路を使用する場合とは別に、十分な収容量を有する水槽に海水を収容させ、その海水に所定速度の旋回流を発生させ、その旋回流に対して逆向きに養殖対象魚を回遊させるような養殖方法を発案した（本件特許出願の当初請求項４参照）。このような養殖方法の場合には、養殖対象魚が旋回流と同じ方向に回遊したとしても、一個所に集中することがないため、養殖対象魚が何かに接触・衝突することを避けることができる。また、旋回流の発生には、送水ポンプによる圧力水の供給か、または旋回翼の回転によることとし、その速度調整は、圧力水または旋回翼を調整することによることができるものである。
　これらの構成は、参加人の概括的なアイデアから発展させたものであるが、請求人が本件発明に関与していたことを示している。」（平成２６年７月２５日付請求人口頭審理陳述要領書８〜１０頁（２））
　
１−２．被請求人の主張
　ア．「発明者を３名にすることは出願の時点で決まっていたと記憶しています（中略）
裁判の中で、山本氏が考えてきたと朝比奈氏が言っていたようですので、それが事実であれば、（朝比奈は）開発には参加していないことになりますが、私は、その詳細を知りません。」（平成２６年８月２日付被請求人口頭審理陳述要領書２頁７（１）。なお、（　）内は当審注。）
　
１−３．参加人の主張
　ア．「（３）『発明者について』
ｉ）鮪陸上養殖についてはその具体的方法は全て参加人が発案したものです。この点については静岡地方裁判所で行われた尋問において、請求人が特許の内容を全く説明出来ず、内容を理解していない事実が浮き彫りになったこと、『請求人が全て発案した』旨の発言を請求人や被請求人代表者萩原弘之が行っていること（丙第４６号証、丙第４７号証参照）から明らかです。
ｉｉ）当時請求人はアイエヌエー株式会社という印刷会社に東京営業所所長という肩書で勤務していました。鮪陸上養殖やそれに必要とされる機械について全く知識を持っていないものの、印刷業（本業）へプラス効果が生じることを期待して参加したものです。
　請求人はアイエヌエー株式会社の東京営業所所長という立場で様々な企業と繋がりを持っていたため、被請求人が発行する私募債や株式について購入者を探すことが適任であり、営業のみを担当していました。
　請求人が『発明者』という肩書を持ち、名刺に記載してこれを交付するようになったのは被請求人に対する出資を募る場合、出資者の関心や信頼を得やすいという参加人の発想によるものです。」（平成２６年７月３日付参加人口頭審理陳述要領書２頁○１（３））
　イ．「（１）請求人による発明
（一）口頭審理における誘導尋問
○１　請求人は平成２６年３月４日付意見書（以下、「意見書」という。）及び平成２６年７月２５日付口頭審理陳述要領書（以下、「要領書」という。）において発明への関与の事実及びその程度を説明している。
　しかし平成２６年８月８日の口頭審問では、請求人の証言が全て請求人代理人の誘導尋問によって導き出されたものであり、請求人が発明内容を自発的に説明した部分は皆無であった。また代理人による誘導がなされた後も請求人は発明内容を説明出来ていない。
○２　平成２６年３月４日付意見書では発明内容が詳細に記載されているが、それから２０日後に静岡地方裁判所にて行われた請求人に対する証人尋問においても請求人は特許の内容を全く説明することが出来なかった（丙第４６号証）。
　こうした経緯を踏まえた場合、口頭審問手続に先だって発明内容を確認する程度の対応は行うのが通常と思われるが、上述のように惨憺たる内容であった。
（二）証言内容の変遷、不合理性
○１　請求人の証言内容は意見書、要領書の記載と明確に異なっている。
i　）３５８４０３０号について
　意見書や要領書では３５８４０３０号に関し、水槽をらせん状とした、水槽を筒状とした、下部貯水タンク設置の提案をした、マグロのストレスを減少させる方法を検討したと記載されている。
　しかし口頭審問ではこれと矛盾する証言をしている。
　即ち、本特許は長野特許事務所に出願を依頼し、出願後、濱田特許事務所に変更したという経緯があるが、請求人は「長野特許事務所と濱田特許事務所による出願内容はほぼ同じ。」としつつ、「長野特許事務所に出向いたことはなく、打ち合わせにも加わっていない。」旨、証言した。
　出願時点で発明内容は確定しているため、請求人の上記証言を前提とした場合、３５８４０３０号の発明に請求人が関与することは不可能である。この点について請求人に尋ねてみたが、回答は得られないままであった。
ii）３９５７７２１号について
　Ａ）請求人は下部貯水タンクの発明をした、当該項目は当初、請求項４に記載したと説明している（最終的には３９５７７２１号第１項、第２項に反映されている）。しかし○１で述べたように３５８４０３０号での出願手続に請求人は関与していない。従って上記説明は真実に反している。
　Ｂ）次に請求人は下部貯水タンクに関し、旋回流を発生させる構造を取り入れた、その点について日本設計の担当者と打ち合わせを行い、図面が作成されたと説明している。
　しかし審問手続で確認したところ、請求人は日本設計担当者の氏名を明らかに出来ていない。また設計に全く関与していない人物（明電舎の高田）を誤って摘示している。
　Ｃ）更に請求人は養殖魚の衝突を回避する目的で気泡が発生する構造を取り入れたと説明している。
　しかし今回検討されたマグロ養殖では酸素が全く含まれていない地下海水の利用を前提としており、海水に酸素を送り込むことは必要条件であった。
　Ｄ）このように請求人が関与したと指摘する発明はどれ一つとっても説得力を欠く内容になっている。」（平成２６年８月２１日付参加人上申書１頁（１））
２．参加人の抗弁についての判断
　参加人の「鮪陸上養殖についてはその具体的方法は全て参加人が発案したものです。」、「営業活動の便宜から請求人を発明者として記載し、出願をした」（本人尋問「山本明人」証言等）との抗弁について検討する。
　
（１）「鮪陸上養殖についてはその具体的方法は全て参加人が発案したもの」か否かについて。
(a)参加人は、「鮪陸上養殖についてはその具体的方法は全て参加人が発案したもの」と主張して、
　本人尋問で参加人代理人の「螺旋状という発想はいつの段階からあったのですか。・・・それは山本さん自身が考えたということでいいですか。」との尋問に対して、「そのとおりです。」と証言し、
　同じく「１つ目の特許３５８４０３０に関して、朝比奈さんが関与した部分というのはあるんですか。」との尋問に対して、「ありません。」
　と証言している。
(b)参加人の証言内容自体は一貫し、本願特許公報の記載事項や、参加人の一連の主張とも整合したものであるが、請求人の証言とは相反する。
　さらに、研究ノートや、利害関係のない第三者の証言等、「鮪陸上養殖についてはその具体的方法は全て参加人が発案したもの」であることを直接客観的に立証し得る証拠は提出されていない。
(c)そうすると、参加人の証拠方法から「鮪陸上養殖についてはその具体的方法は全て参加人が発案したもの」であるとする心証形成は出来ない。
　
（２）「営業活動の便宜から請求人を発明者として記載し、出願をした」か否かについて
(a)参加人は、「営業活動の便宜から請求人を発明者として記載し、出願をした」と主張して、
　参加人本人尋問で、
　「例えば３５８４０３０については、朝比奈さんが発明者として名前が記載されていますけれども、これはどういう経緯だったか覚えていますか。」との尋問に対して、「東京で営業してもらうのに対して名前を書いた、そういう感じであります。」と、
　「今の山本さんの動機、理由については朝比奈さんに伝えましたか。」との尋問に対して、「はい。伝えました。」と、
　「その事実を、今の説明を伝えたのはいつごろだったのでしょうか。」との尋問に対して、「出願するちょっと前です。」
　と証言している。
(b)さらに、本人尋問で、審判長の「・・・先ほど証言されましたことの繰り返しになってしまうかもわからないのですが、営業のために発明人とした旨を伝えられた、朝比奈さんのほうに、そういう証言をされましたね。」との尋問に対して、「はい。」と、
　「そのときの返事は何ていう返事だったか・・・。」との尋問に対して、「ほーという感じでした。」と、
　「一応、了解したという返事をされたわけですね。」との尋問に対して、「はい。」と、
　証言している。（なお、請求人は、この件について聞いた覚えはないと証言した。）
(c)参加人の証言内容自体は一貫し、参加人の一連の主張とも整合性したものであるが、請求人の証言とは相反する。
　さらに、同意書や、利害関係のない第三者の証言等、「営業活動の便宜から請求人を発明者として記載し、出願をした」ものであることを直接客観的に立証し得る証拠は提出されていない。
(d)そうすると、参加人の証拠方法から「営業活動の便宜から請求人を発明者として記載し、出願をしたもの」であるとする心証形成は出来ない。
（３）請求人の主張・証言に関して
　請求人は、発明者に関して、内容が変遷し、曖昧とも思える主張や証言を行っているが、そのことを持って、本件特許出願書類に記載され、長期にわたって維持されている発明者の表示に抗弁する「鮪陸上養殖についてはその具体的方法は全て参加人が発案した」こと、「営業活動の便宜から請求人を発明者として記載し、出願をした」ということを、事実認定するまでには至らない。
（４）まとめ
　参加人の証拠方法から抗弁内容が事実であるとの心証を形成することはできないので、それを基礎とする参加人の抗弁は、採用出来ない。
第４−２　権利放棄書について
　参加人は「請求人は特許出願に際し、被請求人宛に権利放棄書を提出している。」と主張しているので、当該抗弁が成立するかについて検討する。
　下記「２．」に記載するように参加人の提出した証拠に基づいて「請求人は特許出願に際し、被請求人宛に権利放棄書を提出している。」との心証を形成することはできなかったので、当該参加人の抗弁は採用出来ない。
１．当事者の主張
　各当事者の権利放棄書に関しての主な主張を摘記すると以下のようなものである。
１−１．請求人の主張
　ア．「発明の完成後、今日に至るまで、請求人が有していた特許を受ける権利を他の二名に譲渡したことはない。」（審判請求書第２〜３頁７（４））
　イ．「請求人は、権利放棄書なる書類の存在を知らない。その種の名称が付された書類を見たこともない。」（平成２６年３月４日付請求人回答書５頁（３）（イ））
　ウ．「（３）権利放棄の関する書面について
（イ）参加人は、請求人が権利放棄の書面に署名・押印したと主張しているものの、本件口頭審理における本人尋問において、その表題、宛名、内容を記憶していない。
　表題および内容を記憶していないにもかかわらず、当該書面が権利放棄に関する書面であったと明言するには根拠に欠けるといわざるを得ない。
（口）また、参加人は、書面作成および請求人の押印の時期についても覚えていないと証言している。被請求人に至ってはそのような書面は見当たらないと主張している。被請求人および参加人の主張を総合すると、表題および内容すら記憶していないが「権利放棄」に関する書類を作成し、請求人が署名・押印したが、その書面は誰も保管しておらず、あたかも正当に作成されたが保管がされていなかったに過ぎないと主張しているものと判断される。
　しかしながら、前述のように、書面の作成時期、内容その他の詳細を何ら記憶していない書面が、あたかも作成されたかのように偽るものであり、主張の信憑性に欠けるものである。
・・・参加人が作成したと主張する「権利放棄」の書面は、実は、譲渡証書、または取締役会承認書と誤解しているのではないかということである。作成時期や記載内容を覚えていないのであるから、そのような誤りもあり得るということである。」（平成２６年８月２８日付請求人上申書４〜５頁７（３）（イ）〜（ニ））
　
１−２．被請求人の主張
　ア．「（３）権利放棄書については、今回初めて聞きました。念のため、特許申請に関する書類が保管されている場所を探しましたが、そのようなものは見つかりませんでした。・・・
　山本氏が言う東海大学の１１７号室は、鮪文化研究会が使用していた時期がありますので、そこへ朝比奈氏が来ることは考えられますが、その部屋で朝比奈氏に書類に印鑑を押して貰った記憶もなく、書類を渡した記憶もありません。」（平成２６年３月６日付被請求人審尋の回答書３頁７（３））
　
１−３．参加人の主張
　ア．「参加人は鮪文化研究所の所在地である東海大学海洋学部１０号館１１７号室に出向き、請求人に対して権利放棄書への押印を要請し、そこで請求人の押印を貰った。当該書面は現在、被請求人が保管している。」（平成２６年１月２８日付参加人上申書４頁７（２）ｉｖ）○２）
　イ．「○１　権利放棄書
　権利放棄書を準備し、東海大学海洋学部１０号館１１７号室において、請求人の署名・押印を求めたという証言は従前から一貫している。またその現場には他に関係者が多数いたこと、関係者の氏名を明示していること、印鑑の保管状況や請求人の態度について詳細な説明がされていることなど、実際に経験した者で無ければ説明出来ないほどの具体性、臨場感を有している。
　他方、摘示された関係者の誰からも当該事実を否認する証拠は提出されていない。
○２　書類の作成
　被請求人では取締役会議議事録を初めとして組織運営や組織の意思決定に必要とされる資料が全て整っている。被請求人と同レベルの会社と比較しても量・質において際立っているといえる。
　また被請求人が特許を取得若しくは使用する場合、それに必要な契約書（専用実施権、譲渡）がその都度作成され、極めて適切な権利移転手続が行われている。
　そしてこれら書類の作成の大半に参加人が関与している。
　加えて参加人は自ら発明者（共同発明者秋山信彦）、被請求人が特許権者（共同権利者学校法人東海大学）という特許（特許番号４１４２７０８号）に関し、権利放棄書を作成したという経験がある。
　こうした事情を考えれば参加人が権利放棄書を準備し、請求人の署名・押印を取得したということは自然なことといえる。」（平成２６年８月２１日付参加人上申書４〜５頁（２）(一)）
２．参加人の抗弁についての判断
　参加人の「参加人は・・・請求人に対して権利放棄書への押印を要請し、そこで請求人の押印を貰った。当該書面は現在、被請求人が保管している。」旨主張しているので、権利放棄書が作成されたと言えるか否かについて検討する。
(a)参加人は、「参加人は鮪文化研究所の所在地である東海大学海洋学部１０号館１１７号室に出向き、請求人に対して権利放棄書への押印を要請し、そこで請求人の押印を貰った。当該書面は現在、被請求人が保管している。」（平成２６年１月２８日付参加人上申書４頁７（２）ｉｖ）○２）の主張と共に、
(a1)参加人の本人尋問において、参加人代理人の「朝比奈さんから取りつけたかどうかで問題になっている書類ですけれども、これは、例えば文書の表題が『譲渡』『放棄』こうした表題、いずれかになっているか、もしくは別の表記になっているのか、そのあたりはいかがですか。」との尋問に対して、「ちょっとその辺のところはあいまいで覚えておりません。」と証言し、
　同じく「この譲渡もしくは放棄に関する書類というものは、どういう経緯でつくろうと思ったわけですか。」との尋問に対して、「浜田法律事務所からの指示だったと思います。」と証言し、
　同じく「・・・権利の放棄書があったとすると、そもそもこれは特許庁に提出する必要はないので、特許事務所のほうから、その作成を指示されるのは不自然じゃないかという指摘があるのですけれども、この点はどう記憶していますか。」との尋問に対して、「浜田特許事務所からそのような指示を受けたということは記憶はしております。」と証言し、
　同じく「そうすると、あなたの記憶は、そこは変わらないということですね。」との尋問に対して、「はい。」と証言し、
(a2)「権利放棄、権利譲渡などの契約書についてその内容を正確に読み取ることは容易でない。参加人は被請求人の特許に関する資料を数多く作成していたこと、参加人・被請求人代表者が特許権者となった３５８４０３０号、３９５７７２１号に関しては被請求人に専用実施権が設定されるなどの複雑な経過を経て平成１９年６月に譲渡されたという経緯を持つことを考慮すれば参加人が書面の表題や表現内容を正確に覚えていないとしても特段不思議では無い。
　ただ参加人は請求人から同人の署名・押印を貰った事実を明確に記憶しており、（請求人の署名・押印が不要な）譲渡証書や取締役承認書でないことは明らかである」（平成２６年９月１２日付参加人上申書５頁７（３））と主張している。
(b)上記証言内容は、請求人の証言と相反するものであり、主張内容についても争いがある。
(c)そして、参加人の主張について検討すると、権利放棄書に係る参加人の証言及び主張は、証言が宣誓を伴うものであったとしても、単に個人の記憶や見解をのべたと解されるものであって、証言が本人尋問によるものであること、本来記憶は曖昧のものであること、丙各号証等の証拠も権利放棄書の存在及び内容を直接的に証明し得るものでもないことを考え合わせると、参加人の証拠方法から「請求人は特許出願に際し、被請求人宛に権利放棄書を提出している。」との心証形成は出来ない。
　
　まとめると、参加人の証拠方法から抗弁内容が事実であるとの心証を形成することはできないので、それを基礎とする参加人の抗弁は、採用出来ない。
　
　
第４−３　黙示の意思表示による譲渡・放棄について
　参加人は「特許を受ける権利の譲渡・放棄について請求人は当初から黙示の承認をしていた。」と主張しているので、当該抗弁が成立するかについて検討する。
　下記「３．」に記載するように、請求人は平成１５年４月〜少なくとも平成２４年３月まで鮪文化研究会の理事であり、特許証を用いて営業活動を行っており、自分は、発明者であるが、特許権者ではないという状況を、認識しつつ、長期にわたりそれを容認していたのであるから、請求人は特許を受ける権利の譲渡・放棄について当初から、若しくは遅くとも平成２４年３月までには黙示の承認をしていたと解されるものである。
　そうすると、参加人は黙示の承認によって、請求人は特許を受ける権利を、譲渡・放棄していたとするのが適当である。
１．当事者の主張
　各当事者の黙示の意思表示に関しての主な主張を摘記すると以下のようなものである。
１−１．請求人の主張
　請求人の主な主張を摘記すると、以下のようなものである。
　ア．「発明の完成後、今日に至るまで、請求人が有していた特許を受ける権利を他の二名に譲渡したことはない。」（審判請求書２〜３頁７（４））
　イ．「請求人は、特許権者と発明者の区別を十分に理解していたわけではなく、本件特許発明が完成した当時から、権利を譲渡・放棄するような意思を有していなかったことは明らかである。
　それどころか、請求人は、本件特許に関連し、営業活動を積極的に行っており、自らが関与して完成させた特許発明の内容を説明し、出資を募っている。仮に、請求人が特許権を譲渡・放棄したとの黙示の承認をしていたとすれば、自らの権利に関係がなく、また、ＮＰＯ法人とも無関係に、ただ単なる個人（参加人および萩原氏）の利益のためにのみ営業活動をしていたこととなり、極めて不合理である。
　そして、権利が自身にも帰属し、参加人および萩原氏両名のみに帰属していないものと確信していた（少なくとも「仲間」で共有しているものと確信していた）からこそ、自らの貴重な人脈・信用を犠牲にしながら出資を募る行動を取っていたのであり、このような客観的な行動は、請求人本人も権利を有するものと認識していたことの有力な証左である。」（平成２６年７月２５日付請求人口頭審理陳述要領書１４〜１５頁７（６））
　ウ．「請求人が、本件特許に係る『特許証』を見た事実があるとしても、当該『特許証』に自身の氏名が掲載されていることをもって、その記載が『発明者』の欄のみであって『特許権者』の欄に記載されていないことまで十分に把握できなかったとしても不思議なことではない。」（平成２６年８月１日付請求人口頭審理陳述要領書（補充）３頁７（２））
　
１−２．被請求人の主張
　被請求人の主な主張を摘記すると、以下のようなものである。
　ア．「私は、出願に関する手続について、事情をよく把握しておりませんので、審判の結果は、審判官の判断に従うつもりです。特に、反論するような内容もありませんし、提出する書類もありません。」（平成２６年８月２日付被請求人口頭審理陳述要領書３頁７（４））
　
１−３．参加人の主張
　参加人の主な主張を摘記すると、以下のようなものである。
　ア．「上述のように請求人が発明者という肩書を用いたのは営業活動に有益という参加人の発案によるものであり、請求人は特許権が自身に帰属する等とは全く考えていませんでした。従って参加人が浜田特許事務所からの指摘を受けて特許権譲渡・放棄書への署名・押印を請求人に求めた時も請求人から何の異議も出ませんでした。
　以上のとおりであり、特許権の譲渡・放棄について請求人は当初から黙示の承認をしていたことは間違いありません。」（平成２６年７月３日付参加人口頭審理陳述要領書３頁７（５））
　イ．「○１　特許権取得
i）請求人は平成１６年１１月１７日付で作成した報告書（丙第４９号証）において３５８４０３０号の特許証（コピー）を中外鉱業株式会社に提示した事実、投資額について５億円と説明したところ、相手方から『そんな金額（低額）で良いのか。』という反応があった事実を記載している。
ii）請求人はこの当時、３５８４０３０号の特許考案者という肩書の入った名刺（丙第４３号証）を持参し、営業を行っていた旨、静岡地方裁判所での尋問手続で証言している（丙第４６号証９頁）。
　○２　被請求人への譲渡
　請求人は被請求人の役員を務めていた平成２０年〜平成２１年頃、特許権が被請求人に譲渡された事実を把握していた旨、静岡地方裁判所での尋問手続で証言している（丙第４６号証１４頁）。
　○３　特許権の帰属先
i）請求人は平成１７年７月１６日に行われた有限会社ＷＨＡの第２回社員総会に出席していた（甲第５８号証）。同総会では被請求人と特許権者である被請求人代表者、参加者との間で使用許諾に関する合意がなされている。
ii）請求人は特許権成立後、自分が特許権者でないことを理解していた旨、静岡地方裁判所での尋問手続で証言している（丙第４６号証１０頁、１８頁）。
iii）請求人は元々自分に権利がないことを認識していたこと、特許権の取得に費用を拠出した被請求人代表者に帰属するものと考えている旨、静岡地方裁判所での尋問手続で証言している（丙第４６号証１９頁）。
　○４　発明者としての権利
　請求人は特許に関し、発明者として何らかの権利を保有していた旨、主張している。ところが特許の年金支払状況について何の関心も持っておらず、３５８４０３０号に関しては権利を失効させている。
　また権利を失効させた後、発明者としての地位を利用して無効審判申立を行っているが、それによってどのような利益が得られるのか分からず、申立の動機も変遷するなど真実を語っているとは到底考えられない内容である。
　○５　纏め
　以上の経緯から、請求人は発明者としての権利は放棄していたと評価することが適切である。」（平成２６年８月２１日付参加人上申書５〜６頁７（２）（二））
２．関係する事情
２−１．主張の要約
　ア．参加人の「請求人が発明者という肩書を用いたのは営業活動に有益という参加人の発案によるものであり、請求人は特許権が自身に帰属する等とは全く考えていませんでした。・・・請求人から何の異議も出ませんでした。・・・特許権の譲渡・放棄について請求人は当初から黙示の承認をしていたことは間違いありません。」、「請求人は元々自分に権利がないことを認識していたこと、特許権の取得に費用を拠出した被請求人代表者に帰属するものと考えている旨、静岡地方裁判所での尋問手続で証言している（丙第４６号証１９頁）。」、「無効審判申立を行っているが、それによってどのような利益が得られるのか分からず、申立の動機も変遷するなど真実を語っているとは到底考えられない内容である。」旨の主張に対して、
　イ．請求人は、「特許権者と発明者の区別を十分に理解していたわけではなく、・・・権利を譲渡・放棄するような意思を有していなかったことは明らかである。」、「権利が自身にも帰属し、参加人および萩原氏両名のみに帰属していないものと確信していた（少なくとも「仲間」で共有しているものと確信していた）からこそ、自らの貴重な人脈・信用を犠牲にしながら出資を募る行動を取っていたのであり、このような客観的な行動は、請求人本人も権利を有するものと認識していたことの有力な証左である。」、「本件特許に係る『特許証』を見た事実があるとしても、当該『特許証』に自身の氏名が掲載されていることをもって、その記載が『発明者』の欄のみであって『特許権者』の欄に記載されていないことまで十分に把握できなかったとしても不思議なことではない。」旨反論している。
２−２．争いのない事実
　なお、以下の事項については、争いがない事実である。
(a)本件特許の願書（甲１）には、「【発明者】　山本明人、萩原弘之、朝比奈万太郎、【特許出願人】山本明人、萩原弘之」と記載されている。
(b)本件特許に係る特許第３５８４０３０号公報には「【発明者】　山本明人、萩原弘之、朝比奈万太郎、【特許出願人】山本明人、萩原弘之」と記載されている。
(c)本件特許証（丙３５）には「特許権者　山本明人、萩原弘之、　発明者　山本明人、萩原弘之、朝比奈万太郎」と記載されている。
２−３．請求人の本件特許との係わり
　検討にあたり、請求人の本件特許と係わりを整理した。
　請求人の主張、証言、当事者に争いのない事実、及び請求人が争っていない参加人の主張によると、請求人は、少なくとも以下の様に本件特許と係わっている。
(a)平成１４年頃に、請求人は、参加人が計画した鮪の陸上養殖の事業について、参加人から直接話を聞いた。（平成２６年３月４日付請求人回答書２頁７（１）（ロ））
(b)平成１５年４月９日鮪文化研究会発足。請求人も理事となる。（平成２６年１月２８日付参加人上申書３頁７（２）ｉ）○３）
(c)請求人は、本件特許が設定登録された後は、ＮＰＯ法人のために、本件特許に基づく出資または私募債を募集する営業活動を行ってきた。
　平成２４年３月まで理事として円満に職務を全う。
　平成２４年４月１日に代表権喪失により理事を解任。（平成２６年７月２５日付請求人口頭審理陳述要領書１８頁７（８））
　なお、上記理事解任について思い込みによるものと訂正。（平成２６年８月２８日付請求人上申書７（１）○２○３）
(d)裏には特許証のコピーがあって、表には特許考案者という名前の名刺（丙４３）をＮＰＯ法人から支給され、それを使って営業をしていた。（平成２６年８月８日本人尋問の請求人代理人尋問に対する朝比奈証言）
(e)平成２１年頃２回目の私募債で出資を集めた。（同上）
(f)平成２５年７月３日　本件無効審判請求
(g)平成２６年３月２４日　平成２４年（ワ）第９９９号譲渡代金請求事件で証人として証言。
２−４．本件無効審判申立の動機
　参加人が、平成２６年５月１日付参加人上申書２頁７．（１）で「４６，・・・平成２５年時点で自分に特許権がないことを理解しつつ、ＷＨＡを勝訴させる目的で虚偽の主張を行い、特許無効の審判を取得しようとした・・」と主張しているので、請求人の本件無効審判申立の動機についても、当事者の主張を整理した。
　
　請求人の主張、証言、及び請求人が争っていない参加人の主張によると、請求人は、本件無効審判申立の動機に関して以下の説明している。
(a)平成２４年（ワ）第９９９号譲渡代金請求事件の証人尋問において、「自分の名前が抜けていたことに対して，今回の無効の審判の申立てまで，何も言ってないわけですけれども，何で，今回，無効審判を申し立てることになったんですか。」との尋問に対して「ＷＨＡの社長である萩原氏が，彼も山本をかなりかわいがっていました。それは，僕よりは付き合いは長いと思うんです。その中で，今回退職をするときも，ちゃんと退職金も払い，営業的にはゼロ円なんですよ。出ていくばっかなんです。逆に，私募債という，今は株式に変えていますけども，そういった借金を負っても，退職金も払いの，恐らく自分の財産を投げ捨ててもやったことだと思うんです。結果的に，会社の社長でもあるので，余りそんなことは言えませんが，個人の私財を投げ打って，恐らく，皆さん，そういった退職金とか，次の人生のためのお金とか，車まで一緒に上げたということも聞きましたんで，そんなことをしてまでも，またこういう形で訴えるとは何事だと，人間的にそこが嫌になっちゃいまして，もめているんだったら，何とかできるものならば，してしまいたいなあと思っていたんです。」と、
　「で，申立てに至ったということですよね。」との尋問に対して「はい，そうです。」と、
　証言した。（平成２６年５月１日付参加人上申書に添付された平成２４年（ワ）第９９９号朝比奈万太郎の証人調書（丙４６号証））
(b)「合議体における暫定的な見解は、専ら本件審理ではない譲渡代金請求訴訟（静岡地方裁判所平成２４年（ワ）第９９９号、当事者・被請求人および参加人、以下・本件訴訟と称する）において、証人として出廷した請求人の証人調書中の記載および本件訴訟において提出された証拠のみに基づいている。
　しかしながら、本件訴訟は、本件特許の有効・無効を争点とするものではなく、しかも、被請求人および参加人（以下、訴訟当事者と称す）が代金請求を争っているものであって、請求人は訴訟当事者ではなく単なる証人である。これは、すなわち、訴訟当事者は、本件訴訟では主張が対立するものであるが、本件審判については、両者の主張は対立せず、ともに本件特許が有効であることを主張するものである。従って、調書に記載されている証人尋問は、訴訟当事者双方の代理人が当該訴訟当事者の主張に有利な（本件特許が有効であることを立証するための）証言を得ることに終始したものであって、請求人が有利な証言（本件審判に関する請求人の主張を裏付ける証言）を引き出すための尋問は行われなかったものである。従って、調書に記載される内容は、被請求人側（被請求人およびこれを補助参加する参加人の側）にのみ有利となる一方的なものであるから、公平でなく、本件審理の証拠としては不適当である。」（平成２６年７月３日付請求人口頭審理陳述要領書２頁７（１））
(c)「発明者が発明者の立場として、本件特許に対して何らかの請求をするとすれば、無効審判以外にはあり得ないからである。このことは、前述の平成２３年改正の趣旨からも明らかである。
　ところで、権利失効した特許を無効にしたところで意味がないと思われるが、前述のように、請求人は、ＮＰＯ法人の理事として、無報酬で、種々の活動を行ってきた。そして、ある程度の成果も得ることができ、順調と思われていたところ、参加人によって商談を反故にされたという過去の経緯がある（朝比奈調書第１６頁第１４行〜第１７頁第６行）。
　そうであるにもかかわらず、ＮＰＯ法人の理事の職を解任した後に、参加人が自身に対する譲渡代金を請求していることを知り、憤りを感じることは不思議なことではない。
　他方において、譲渡契約書によれば、萩原氏も契約条項に基づいて相当程度の代金を受けることができることとなっている。このように、結果的には請求人を除外した二名のみが、特許権による利益を享受していたのであり、請求人の利益が侵害されていることは明らかである。
　さらに、そのような契約書が有効であることも知らされておらず、かつ、本件に利害関係を有する参加人と被請求人との訴訟の内容についても知らされることもなかったことから、無効審判を請求すれば、否が応でも請求人が紛争の実情を把握できると考えたところである。その予想のとおり、参加人の提出した契約書を確認することができ、訴訟の内容を知ることができるに至った。
　なお、本件無効審判請求の動機について、朝比奈調書では、萩原氏についてかわいそうだと証言しているが、これは、自らの憤りや欲求を隠すための方便であり、真実のところ、請求人を排除して両名で金銭的な請求を行っていることに対し、裏切られたという感情によるものである。
　また、仮に、他件の特許についてのみ無効審判を請求した場合を想定すると、他件の特許が何らかの理由で訴訟の対象から除外されていた場合、上記の目的を達成することができないことも予想された。従って、請求人が萩原氏および参加人と共同して開発し、特許出願したもののうち、請求人が無効主張し得る特許の全部について無効審判を請求しようと考えたところ、特許が設定登録されたものは本件と他件の２件のみであったのである。」（平成２６年７月２５日付請求人口頭審理陳述要領書２０頁７（９））
　なお、上記「審判請求の動機」の部分については、後に、「なお、審判請求の動機について、朝比奈調書では、萩原氏についてかわいそうだという趣旨のみを証言しているが、当然に、萩原氏個人に対するかわいそうだという感情もあったものの、同時に裏切られたという感情にともなう憤りなどをも覚えており、これらが総合したものであった。そして、これらの複雑な感情を上手く説明できなかったため、かわいそうだという感情の部分についてのみ説明したものである。」と訂正。（平成２６年８月２８日付請求人上申書）
(d)平成２６年８月８日の本人尋問で、参加人代理人の「あえて前回、萩原さんは気の毒だというふうに、実際とあなたの記憶と違う発言をした理由を教えてください。」との尋問に対して「法廷でしたので、初めての経験でしたから、とにかく頭が真っ白になりまして何も考えられなかったというか、機関銃のように聞かれたので、どうでもいいと思ったので言ってしまいました。」と、
　「あなたとしては、当時から萩原さんに対しての怒りというものは持っていたわけでしょう。尋問を行ったことし３月の段階では、萩原さんに対する怒りというのは持っていたのでしょう。」との尋問に対して「持っていました。」と、
　「ところが、あえてそれを言わなかった理由を教えてください。」との尋問に対して「理由ですか。ちょっとわかりません。」と、
　証言した。
(e)同じく本人尋問で、参加人代理人の「宣誓をして証人が自分の記憶と反する説明をすると刑事罰に問われる可能性があると裁判官から説明はありませんでしたか。」との尋問に対して「とにかく頭が真っ白になったので、わからなくなってしまっただけです。」と、
　証言した。
(f)同じく本人尋問で、参加人代理人の「あなたとしては、ＮＰＯ法人を解任させられたということが審判請求をする一つの大きな動機になったということですね。」との尋問に対して「はい。」と、
　証言した。
(g)同じく本人尋問で、参加人代理人の「これは制度がかわって、理事長だけを代表者として残して、理事については代表権喪失という記載を入れるという制度が２４年４月から始まったのですけれども、その制度は知らないですか。」との尋問に対して「知らないです。」と、
　証言した。
(h)同じく本人尋問で、参加人代理人の「そうすると、あなたは十分な調査もしないまま無効審判の申し立てをしてしまったということでいいですか。
　誰にも確認したりしなかったのでしょう。」との尋問に対して「していません。」と、
　証言した。
(i)同じく本人尋問で、請求人代理人の「前回の証人のときに、あなたは証言で『萩原さんがかわいそうだから』という言い方をしました。その後、本当にそういうふうに――ここに書いてあるから言っているのだけれども、本当にそう思っているのかと私が聞いたところ、あなたは、『そういうようなことを思ったこともあるのだ』ということを言っていましたね。」との尋問に対して「はい。」と、「ですけれども、そのときに、かなり頭の中が真っ白になっていて、本当は自分が、かなり腹が立っているけれども、そのことをうまく説明できなかったのだと私には言ったと、それでいいですか。」との尋問に対して「はい。」と、
　証言した。
(j)「和解等による解決不能について
　無効審判を請求した場合、その当事者による話し合いによって解決することもあるが、本件審判においては、その可能性が皆無であると判断される。本件特許について、参加人は否定するが、請求人は、共同発明者の一人であると確信している。従って、本件特許が譲渡により対価を得ることができるのであれば、請求人に対しても発明の対価が支給されてもよいのではないかと請求人は考えていた。口頭審理においては、当事者が全員出席するのであるから、話し合いによって解決する方法が選択される余地もあった。請求人は、そのような解決方法を期待していた。
　しかしながら、・・・本件口頭審理では、被請求人および参加人のいずれからも和解等の提案はなされなかった。その意味においては請求人の期待が外れたというほかない。請求人が本件特許および営業面に関し幾多の貢献を果たしたにもかかわらず、被請求人および参加人は、いずれも請求人に対し対価の一部を支払うことを考えていないのである。請求人は、特に金銭に困窮している訳ではないが、被請求人および参加人のみが譲渡代金を受領することについては違和感を覚えている。よって、本件特許が無効となり、本件特許の関係者が不公平とならないよう審決を求めるところである。」（平成２６年８月２８日付請求人上申書７（６））
（k）「(３)請求人の動機について
　既に上申書等で説明したとおりであるので、再度、主張することは避けるが、請求人は虚偽の証言をする意図など全くなく、複雑な心境であったことから、説明の内容が一部のみとなり、理解されなかったものである。いずれにしても感情的な動機であるため、その感情が揺れ動くことも仕方がない。
　なお、参加人は、当事者尋問において、本件発明は参加人が一人（または浜田事務所担当者と二人）で考えたものである旨を証言している。これをそのまま理解すれば、被請求人代表者個人も発明者ではなかったという意味となる。同じように、発明者の一人に掲げながら、被請求人代表者個人が出願人となり、権利譲渡代金を受ける立場にあることについても憤りを覚えざるを得ない。また、請求人は、本件特許に関し、発明者となっていながら、特許権そのものを得ることができていなかったことについて、自分自身に対しても自ら憤りを感じている部分もある。」（平成２６年９月１２日付請求人上申書７（３））
３．参加人の抗弁についての判断
　参加人は「請求人が発明者という肩書を用いたのは営業活動に有益という参加人の発案によるものであり、請求人は特許権が自身に帰属する等とは全く考えていませんでした。・・・請求人から何の異議も出ませんでした。・・・特許権の譲渡・放棄について請求人は当初から黙示の承認をしていたことは間違いありません。」、「請求人は元々自分に権利がないことを認識していたこと、特許権の取得に費用を拠出した被請求人代表者に帰属するものと考えている旨、静岡地方裁判所での尋問手続で証言している（丙第４６号証１９頁）。」、「無効審判申立を行っているが、それによってどのような利益が得られるのか分からず、申立の動機も変遷するなど真実を語っているとは到底考えられない内容である。」旨主張しているので、黙示の意思表示によって請求人は特許を受ける権利を、譲渡・放棄したと言えるか否かについて検討する。
（１）請求人が、「特許権者」でないことを認識していたかについて
　請求人は、平成１５年４月〜少なくとも平成２４年３月まで鮪文化研究会の理事であり、本件特許に基づく出資または私募債を募集する営業活動を行っており、特許証（丙３５）を営業活動で使用し、「特許権者　山本明人、萩原弘之」との記載に接している。
　そうすると、請求人は、私募債を募集する営業活動中に、特許権者は、山本明人、萩原弘之であり、自分は特許権者ではないという状況を、認識していたとするのが相当である。
　
（２）請求人が、発明者としての権利を放棄しているか否かについて
　請求人が、特許出願時に「詳細な書誌的事項については関与していない」としても、その後、平成１５年４月〜少なくとも平成２４年３月まで鮪文化研究会の理事であり、特許証（丙３５）を用いて営業活動を行っている。
　そうすると、上記（１）の如く、自分は、発明者であり、特許権者ではないという状況を、認識しつつ、長期にわたりそれを容認していたのであるから、請求人は特許を受ける権利の譲渡・放棄について当初から、若しくは遅くとも理事を解任された平成２４年３月までには黙示の承認をしていたと解するのが相当である。
　逆に、請求人は特許を受ける権利の譲渡・放棄について承認していないとすると、請求人は理事であって、本件特許の事情を確認することは十分可能であったはずであり、事情を確認して何らかの行動を起こすと考えるのが通常であるが、そのような行動も確認出来ない。
（３）なお、請求人は、「発明者が発明者の立場として、本件特許に対して何らかの請求をするとすれば、無効審判以外にはあり得ないからである。」「譲渡契約書によれば、萩原氏も契約条項に基づいて相当程度の代金を受けることができることとなっている。このように、結果的には請求人を除外した二名のみが、特許権による利益を享受していたのであり、請求人の利益が侵害されていることは明らかである。」旨主張し、また、平成２６年８月２８日請求人上申書では「本件口頭審理では、被請求人および参加人のいずれからも和解等の提案はなされなかった。その意味においては請求人の期待が外れたというほかない。・・・被請求人および参加人のみが譲渡代金を受領することについては違和感を覚えている。よって、本件特許が無効となり、本件特許の関係者が不公平とならないよう審決を求めるところである。」とも主張しているが、請求人の発明者としての権利主張が、特許登録の９年後に、さらに、代金受領を請求するものではない無効審判の形でなされたことを考慮すると、発明者としての権利行使として本件無効審判「以外にはあり得ない」ものであったとは考えられず、当該主張によって、上記（２）の判断を変更する必要は認められない。
（４）まとめ
　黙示の意思表示によって請求人は特許を受ける権利を、譲渡・放棄したものと認められるので、参加人の抗弁は、採用されるべきものである。
第４−４　無効理由についての判断のまとめ
　「特許を受ける権利が請求人を含む３名の共有に係る」ものであるという要件事実に関し、出願書類等に「発明者　山本明人、萩原弘之、朝比奈万太郎」と記載された推認事実があり、かつ、参加人山本明人のみが発明者であるとの事実は証明されない。
　一方、「請求人は特許を受ける権利を、譲渡・放棄した」ことの抗弁事実に関し、推認事実「参加人は黙示の承認によって、請求人は特許を受ける権利を、譲渡・放棄していた」があり、請求人はそれを覆す証明をしていない。
　したがって、請求人朝比奈万太郎は共同発明者であるが、特許を受ける権利を、譲渡・放棄したので、本件特許出願は特許法第３８条に違反したものではない。
　請求人朝比奈万太郎が共同発明者でないとおぼしき証拠等もあるが、仮にそうであるとしてもその場合には、なおさら、違法とはならず、結論に影響はしない。
第５　むすび
　以上のとおり、請求人の主張する理由及び証拠方法によっては、本件特許発明の請求項１〜３に係る特許を無効とすることができない。
　審判に関する費用については、特許法第１６９条第２項の規定において準用する民事訴訟法第６１条の規定により、請求人が負担すべきものとする。
　
　よって、結論のとおり審決する。